(57)【要約】【課題】屋根面材の下面側を伝わる水の浸入を確実に阻止することができる屋根の止水構造および屋根を提供すること。【解決手段】第１止水材８６によってパネル材６の下面を逆流しようとする水Ｗ２が阻止され、この第１止水材８６を超えたとしても、第１立上片７１によってパネル支持部５Ｂの下面を逆流しようとする水Ｗ６が阻止され、凹溝部７０に落下して排水されるので、止水性能を向上させることができる。さらに、パネル保持部材８内に入った水が傾斜底面部８２の排水孔８８から樋７に排水され、凹溝部７０に入った水が排水孔７４から樋７に排水されるので、パネル保持部材８内部や凹溝部７０内部に水が溜まったままになることがなく、かつ溜まった水があふれ出すことも防止することができる。【選択図】図５
2008240241.tif 000002
【特許請求の範囲】
【請求項１】
水勾配を有して設置された屋根面材と、この屋根面材の水下側端縁に沿って設けられた樋とを備えた屋根の止水構造であって、
前記樋は、前記屋根面材の下方かつ前記水下側端縁よりも水上側に位置する樋側壁を少なくとも有し、この樋側壁よりも水下側にて上方に開口した全体溝状に形成され、
前記樋側壁上端部には、前記屋根面材の下面に当接する第１止水部と、この第１止水部よりも水上側にて前記屋根面材の下面に当接する第２止水部と、これら第１および第２の止水部の間に位置した溝状の水受け部とが設けられている屋根の止水構造。
【請求項２】
前記水受け部には、当該水受け部内の水を前記樋に排水する排水孔が形成されている請求項１に記載の屋根の止水構造。
【請求項３】
前記屋根面材は、前記水勾配に沿って水上側から水下側に延びる複数の垂木と、これらの垂木に側端縁が支持される少なくとも１枚のパネル材とを有して構成され、
前記垂木は、垂木本体と、この垂木本体に設けられて前記パネル材を下方から支持するパネル支持部と、このパネル支持部に対向して前記パネル材を上方から押さえるパネル押え材とを有して構成されるとともに、前記垂木本体が前記樋側壁よりも水上側に位置し、前記パネル支持部が前記樋側壁よりも水下側に延びて形成され、
前記水下側に延びたパネル支持部の下面に前記第２止水部が当接されるとともに、前記パネル支持部の下面および当該パネル支持部に支持された前記パネル材の下面のうち、少なくとも一方に前記第１止水部が当接されている前記請求項１または請求項２に記載の屋根の止水構造。
【請求項４】
前記樋側壁には、前記第１止水部よりも水下側に延びて前記パネル材の水下側端縁を保持するパネル保持部が設けられ、このパネル保持部には、前記第１止水部よりも水下側かつ前記パネル材の下方に位置した第２の水受け部が形成されている請求項３に記載の屋根の止水構造。
【請求項５】
前記第２の水受け部には、当該第２の水受け部内の水を前記樋に排水する第２の排水孔が形成されている請求項４に記載の屋根の止水構造。
【請求項６】
支柱と、この支柱に支持される梁と、水勾配を有して前記梁に支持される屋根面材と、この屋根面材の水下側端縁に沿って設けられた樋とを備えた屋根であって、
前記屋根面材と前記樋とが請求項１から請求項５のいずれかに記載の止水構造で接続されている屋根。
【発明の詳細な説明】
【技術分野】
【０００１】
本発明は、屋根の止水構造および屋根に関し、詳しくは、水勾配を有して設置された屋根面材と、この屋根面材の水下側端縁に沿って設けられた樋とを備えた屋根の止水構造、およびこの止水構造を備えた屋根に関する。
【背景技術】
【０００２】
従来、屋外テラスやカーポート、サンルーム、アプローチ等の屋外構造物に設置される屋根であって、屋根面材の水下側端縁に沿って樋を有する屋根構造が提案されている（例えば、特許文献１参照）。
特許文献１に記載された屋根構造は、支柱と、この支柱に支持された梁と、この梁に支持された屋根体（屋根面材）とを備えて構成され、屋根面材の水下側端縁に沿って樋が設けられている。そして、樋は、上方に開口した断面略コ字形に形成され、その水上側の側壁上部には、屋根面材の屋根ふき材を上下から挟んで保持する押え材（パネル保持部）が設けられている。このパネル保持部は、樋の側壁上部から屋根ふき材の下面に沿って水下側に延びるとともに、屋根ふき材の水下側端縁に沿って立ち上がり、屋根ふき材の上面に沿って水上側に折れ曲がったコ字形に形成されている。パネル保持部には、屋根ふき材の上面および下面にそれぞれ当接する上部水密材および下部水密材が取り付けられ、これら上下の水密材で屋根ふき材を保持するようになっている。
【０００３】
【特許文献１】特開２００６−２４９６７９号公報
【発明の開示】
【発明が解決しようとする課題】
【０００４】
しかしながら、従来の屋根構造では、上部水密材によってパネル保持部の内部に雨水等が入り込まないようになっているものの、このパネル保持部の内部に水が入った場合には、この水が屋根ふき材の下面を伝わって毛細管現象により下部水密材を超え、テラス空間に浸入してしまう可能性がある。
【０００５】
本発明の目的は、屋根面材の下面側を伝わる水の浸入を確実に阻止することができる屋根の止水構造および屋根を提供することにある。
【課題を解決するための手段】
【０００６】
本発明の屋根の止水構造は、水勾配を有して設置された屋根面材と、この屋根面材の水下側端縁に沿って設けられた樋とを備えた屋根の止水構造であって、前記樋は、前記屋根面材の下方かつ前記水下側端縁よりも水上側に位置する樋側壁を少なくとも有し、この樋側壁よりも水下側にて上方に開口した全体溝状に形成され、前記樋側壁上端部には、前記屋根面材の下面に当接する第１止水部と、この第１止水部よりも水上側にて前記屋根面材の下面に当接する第２止水部と、これら第１および第２の止水部の間に位置した溝状の水受け部とが設けられていることを特徴とする。
【０００７】
以上の本発明によれば、樋側壁上端部に第１止水部および第２止水部を設けたことで、先ず第１止水部によって屋根面材の下面を伝わる水を阻止して樋に落下させ（一次止水）、この第１止水部を水が超えたとしても、その水上側に設けた第２止水部によって水受け部に水を落下させ（二次止水）、その浸入を確実に阻止して止水性能を向上させることができる。
【０００８】
この際、本発明の屋根の止水構造では、前記水受け部には、当該水受け部内の水を前記樋に排水する排水孔が形成されていることが好ましい。
このような構成によれば、第２止水部によって浸入を阻止して水受け部に落下させた水を排水孔から樋に排水することで、水受け部内に水が溜まってあふれ出すことを防止して、さらに止水性を高めることができる。
【０００９】
さらに、本発明の屋根の止水構造では、前記屋根面材は、前記水勾配に沿って水上側から水下側に延びる複数の垂木と、これらの垂木に側端縁が支持される少なくとも１枚のパネル材とを有して構成され、前記垂木は、垂木本体と、この垂木本体に設けられて前記パネル材を下方から支持するパネル支持部と、このパネル支持部に対向して前記パネル材を上方から押さえるパネル押え材とを有して構成されるとともに、前記垂木本体が前記樋側壁よりも水上側に位置し、前記パネル支持部が前記樋側壁よりも水下側に延びて形成され、前記水下側に延びたパネル支持部の下面に前記第２止水部が当接されるとともに、前記パネル支持部の下面および当該パネル支持部に支持された前記パネル材の下面のうち、少なくとも一方に前記第１止水部が当接されていることが好ましい。
このような構成によれば、パネル材を下方から支持する垂木のパネル支持部が樋側壁よりも水下側に延びて形成された場合において、このパネル支持部の下面に第２止水部を当接させることで、より効果的に水の浸入を阻止することができる。すなわち、パネル材の下面よりもパネル支持部の下面の方が下側に位置することから、パネル支持部側に水が集まりやすく、この水がパネル支持部の下面を伝わって水上側に逆流する可能性が高いため、パネル支持部の下面の水を第２止水部で阻止して水受け部に水を落下させることで、止水性能を高めることができる。
【００１０】
また、本発明の屋根の止水構造では、前記樋側壁には、前記第１止水部よりも水下側に延びて前記パネル材の水下側端縁を保持するパネル保持部が設けられ、このパネル保持部には、前記第１止水部よりも水下側かつ前記パネル材の下方に位置した第２の水受け部が形成されていることが好ましい。
この際、前記第２の水受け部には、当該第２の水受け部内の水を前記樋に排水する第２の排水孔が形成されていることが好ましい。
このような構成によれば、パネル材の水下側端縁を保持するパネル保持部に第２の水受け部を設けたことで、第１止水部よりも水下側の水を第２の水受け部で受け止め、さらに受け止めた水を第２の排水孔から樋に排水することができ、第１止水部に達するまでに排水することによって止水性を一層向上させることができる。
【００１１】
一方、本発明の屋根は、支柱と、この支柱に支持される梁と、水勾配を有して前記梁に支持される屋根面材と、この屋根面材の水下側端縁に沿って設けられた樋とを備えた屋根であって、前記屋根面材と前記樋とが請求項１から請求項５のいずれかに記載の止水構造で接続されていることを特徴とする。
このような屋根によれば、前述と同様の効果、つまり屋根面材の下面を伝って逆流する水を阻止して屋外テラスやカーポート、サンルーム、アプローチ等の空間への浸入を確実に防止することができる。
【発明を実施するための最良の形態】
【００１２】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１３】
〔第１実施形態〕
図１は、本発明の第１実施形態に係る屋根１を示す斜視図である。図２および図３は、屋根１の要部を拡大して示す縦断面図である。図４は、屋根１の屋根面材を示す縦断面図である。図５は、屋根１における止水構造を説明する縦断面図である。
図１および図２において、屋根１は、建物Ｓに隣接して設けられる屋外のテラスやポーチ、カーポート（車庫）、サンルーム、アプローチ等の空間上方を覆うものであって、地面から立設された２本の支柱２と、これらの支柱２および建物Ｓに支持される四周の梁３と、これらの梁３に支持される屋根面材４とを備えて構成されている。屋根面材４は、建物Ｓ側から２本の支柱側に向かって下り傾斜とされた水勾配を有して設置され、この水勾配に沿って水上側から水下側に延びる複数の垂木５と、これらの垂木５に側端縁が支持される複数のパネル材６（屋根ふき材）とを有して構成されている。そして、屋根面材４の水下側には、その端縁に沿って樋７が設けられている。
【００１４】
樋７は、適宜なアタッチメントを介して梁３の側面に固定されたアルミ形材製の樋部材７Ａから構成されている。この樋部材７Ａは、図３にも示すように、梁３に沿った前面部７Ｂと、この前面部７Ｂに連続して水上側（図３の右側）に延びる底面部７Ｃと、この底面部７Ｃの水上側端部から立ち上がる背面部７Ｄとを有し、上方に開口した全体溝状に形成されている。そして、樋部材７Ａの背面部７Ｄは、屋根面材４の下方かつ水下側端縁よりも水上側に位置して設けられ、すなわち背面部７Ｄによって樋側壁が構成されている。なお、樋７の底面部７Ｃには、図示しない適宜な位置、例えば支柱２の近傍に排水孔が設けられており、適宜な縦樋等を介して樋７内部の水が排水できるようになっている。
【００１５】
屋根面材４を構成する垂木５は、図４に示すように、アルミ形材製で角筒状に形成された垂木本体５Ａと、この垂木本体５Ａの上部に形成されてパネル材６を下方から支持するパネル支持部５Ｂと、このパネル支持部５Ｂに対向してパネル材６を上方から押さえるパネル押え材５Ｃとを有して構成されている。パネル支持部５Ｂおよびパネル押え材５Ｃには、それぞれ止水材５１，５２が取り付けられており、これらの止水材５１，５２でパネル材６を上下から挟持できるようになっている。パネル材６は、ポリカーボネート等の樹脂製の板材で構成され、その側端縁がパネル支持部５Ｂおよびパネル押え材５Ｃに保持されている。また、垂木本体５Ａは、樋部材７Ａの背面部７Ｄに水上側から当接する位置で切断され、パネル支持部５Ｂおよびパネル押え材５Ｃが背面部７Ｄよりも水下側に延びて形成されるとともに、これらに支持されるパネル材６も、その水下側端縁が背面部７Ｄよりも水下側に延びて配置されている。
【００１６】
次に、図５に基づいて、樋部材７Ａと屋根面材４との間の止水構造について説明する。
樋部材７Ａの背面部７Ｄ上端には、背面部７Ｄよりも水下側にて上方に開口した凹溝部７０が形成されており、この凹溝部７０は、水上側の第１立上片７１と、水下側の第２立上片７２と、これらの第１立上片７１および第２立上片７２の基端部を連結する底面部７３とを有して形成されている。そして、第１立上片７１の上端は、垂木５のパネル支持部５Ｂ下面に当接されている。また、凹溝部７０には、当該凹溝部７０よりもさらに水下側に延びてパネル材６の水下側端縁を保持するパネル保持部材８が取り付けられている。このパネル保持部材８は、凹溝部７０の底面部７３にビス止め固定されるとともに、第２立上片７２に沿って立ち上がった上端部に形成された第１止水材保持部８１と、この止水材保持部８１から水下側に向かって下り傾斜を有して延びる傾斜底面部８２と、この傾斜底面部８２の水下側端部から上方に延びてパネル材６の水下側端縁に当接する保持片部８３と、この保持片部８３上端からパネル材６の上面に沿って水上側に延びる保持上面部８４と、この保持上面部８４の水上側端部に形成された第２止水材保持部８５とを有して形成されている。そして、パネル保持部材８の第１止水材保持部８１には、パネル材６の下面に当接する第１止水材８６が保持され、第２止水材保持部８５には、パネル材６の上面に当接する第２止水材８７が保持されている。
【００１７】
以上の凹溝部７０およびパネル保持部材８において、先ず、第２止水材８７がパネル材６の上面に当接することで、パネル材６の上面を水下側に流れてきた水がパネル保持部材８の内部に浸入しないようになっている。しかし、第２止水材８７と垂木５の止水材５２との間や、パネル保持部材８の保持上面部８４と垂木５のパネル押え材５Ｃとのメタルタッチ部分などから、パネル保持部材８内に水が浸入した場合には、この水が図５の矢印Ｗ１で示すように傾斜底面部８２上に落下することになる。この傾斜底面部８２は、前述の通り水下側に下り勾配を有しているため、傾斜底面部８２上に落下した水が水上側へは流れず、傾斜底面部８２と保持片部８３との交差部側に溜まるようになっている。従って、傾斜底面部８２および保持片部８３によって本発明の第２の水受け部が構成されている。そして、傾斜底面部８２の勾配下端部側（保持片部８３側）には、長手方向の適宜な位置に排水孔８８が形成されているため、傾斜底面部８２上面の水は、排水孔８８から矢印Ｗ５で示すように樋７に排水されるようになっている。
また、パネル保持部材８内部に入った水がパネル材６の下面を伝って矢印Ｗ２で示すように水上側に逆流した場合には、この水が第１止水材８６に阻まれて矢印Ｗ３で示すように傾斜底面部８２側に落下するため、この水も矢印Ｗ４で示すように傾斜底面部８２を流れ、矢印Ｗ５で示すように排水孔８７から樋７に排水されるようになっている。すなわち、第１止水材８６によって本発明の第１止水部が構成されている。
【００１８】
一方、垂木５のパネル支持部５Ｂとパネル保持部材８の第１止水材保持部８１とのメタルタッチ部分から、第１止水材８６を超えた水は、先ずパネル保持部材８と凹溝部７０の第２立上片７２との隙間空間７５に入り、後述する排水孔７４から排水されるようになっている。さらに、第１止水材８６を超えてパネル支持部５Ｂの下面を矢印Ｗ６で示すように水上側に水が逆流した場合には、この水が凹溝部７０の第１立上片７１に阻まれて矢印Ｗ７で示すように凹溝部７０内に落下するようになっている。すなわち、第１立上片７１によって本発明の第２止水部が構成されるとともに、凹溝部７０によって本発明の水受け部が構成されている。そして、凹溝部７０の底面部７３には、長手方向の適宜な位置に排水孔７４が形成されており、凹溝部７０内に落下した水が矢印Ｗ８で示すように排水孔７４から樋７に排水されるようになっている。
以上のように、パネル材６の下面を逆流しようとする水Ｗ２は、第１止水部である第１止水材８６で阻まれて傾斜底面部８２から排水孔８８を介して排水され、垂木５のパネル支持部５Ｂの下面を逆流しようとする水Ｗ６は、第２止水部である第１立上片７１で阻まれて水受け部である凹溝部７０から排水孔７４を介して排水されるようになっており、これにより本実施形態の止水構造が構成されている。
【００１９】
このような本実施形態によれば、以下のような効果がある。
（１）すなわち、第１止水材８６によってパネル材６の下面を逆流しようとする水Ｗ２が阻止され、この第１止水材８６を超えたとしても、第１立上片７１によってパネル支持部５Ｂの下面を逆流しようとする水Ｗ６が阻止され、凹溝部７０に落下して排水されるので、止水性能を向上させることができる。
【００２０】
（２）また、パネル保持部材８内に入った水が傾斜底面部８２の排水孔８８から樋７に排水され、凹溝部７０に入った水が排水孔７４から樋７に排水されるので、パネル保持部材８内部や凹溝部７０内部に水が溜まったままになることがなく、かつ溜まった水があふれ出すことも防止することができる。
【００２１】
（３）また、垂木５のパネル支持部５Ｂとパネル保持部材８とのメタルタッチ部分からパネル支持部５Ｂの下面に沿って水が入ったとしても、第１立上片７１よりも水上側への浸入が阻止できることから、メタルタッチ部分のシール材を簡易にしたり、省略したりできるので、シール施工の手間を削減することができる。
【００２２】
〔第２実施形態〕
次に、本発明の第２実施形態を図６〜図８に基づいて説明する。
図６は、第２実施形態に係る屋根１Ａを示す縦断面図である。図７は、屋根１Ａにおける樋７部分を示す斜視図である。図８は、屋根１Ａにおける止水構造を説明する縦断面図である。
本実施形態において、屋根１Ａは、樋部材７Ａに替えて樋部材９を用いた点、および樋部材９と屋根面材４との間の止水構造が前記第１実施形の屋根１と相違し、他の構成は第１実施形態と略同様である。以下、相違点について詳しく説明する。
【００２３】
樋部材９は、前記第１実施形態の樋部材７Ａおよび梁３を兼ねるもので、その両端部が交差する梁３に接合されている。そして、樋部材９は、前面部９Ａと、この前面部９Ａに連続して水上側（図６の右側）に延びる底面部９Ｂと、この底面部９Ｂの水上側端部から立ち上がる背面部（樋側壁）９Ｃとを有し、上方に開口した全体溝状に形成されている。また、背面部９Ｃの上端部かつ水下側には、パネル材６の水下側端縁を保持するパネル保持部９Ｄが形成されている。
また、本実施形態において、屋根面材４は、前記第１実施形態と略同様の垂木５およびパネル材６を有して構成され、図７に示すように、垂木本体５Ａは、樋部材９の背面部９Ｃに水上側から当接する位置で切断され、パネル支持部５Ｂおよびパネル押え材５Ｃが背面部９Ｃよりも水下側に延びて形成されている。
【００２４】
次に、図８に基づいて、樋部材９と屋根面材４との間の止水構造について説明する。
樋部材９の背面部９Ｃ上端には、背面部９Ｃよりも水下側にて上方に開口した凹溝部９０が形成されており、この凹溝部９０は、水上側の第１立上片９１と、この第１立上片９１の基端部から水下側に延びる底面部９２と、第１立上片９１の水下側に対向して底面部９２から立ち上がる第２立上片９３とを有して形成されている。そして、第１立上片９１の上端は、パネル材６の下面に当接され、第２立上片９３の上端は、垂木５のパネル支持部５Ｂ下面に当接されている。また、凹溝部９０の底面部９２が第２立上片９３よりもさらに水下側に延び、この先端側にパネル保持部９Ｄが樋部材９と一体に形成されている。このパネル保持部９Ｄは、底面部９２から水下側に延びるとともに上り傾斜を有した傾斜底面部９４と、この傾斜底面部９４の水下側端部から上方に延びてパネル材６の水下側端縁に当接する保持片部９５と、この保持片部９５上端からパネル材６の上面に沿って水上側に延びる保持上面部９６とを有して形成されている。そして、パネル材６は、その下面を第１立上片９１上端に当接するとともに、水下側端縁を保持片部９５に当接しかつ保持上面部９６にパネル材６の上面が係止されることで保持されるようになっている。一方、垂木５のパネル支持部５Ｂは、第１立上片９１に形成された切欠部９７を介して水下側に延び、パネル支持部５Ｂの下面に切欠部９７の上端が当接するようになっている。
【００２５】
以上の凹溝部９０およびパネル保持部材９Ｄにおいて、先ず、パネル材６の上面を水下側に流れてきた水が、パネル材６と保持上面部９６との間などからパネル保持部材９Ｄ内に浸入した場合には、この水が図８の矢印Ｗ１で示すように傾斜底面部９４上に落下することになる。この傾斜底面部９４は、水上側に下り勾配を有しているため、傾斜底面部９４上に落下した水は、矢印Ｗ４で示すように傾斜底面部９４と第２立上片９３との間の底面部９２に流れ、この底面部９２に形成された排水孔９９から矢印Ｗ５で示すように樋７に排水されるようになっている。また、パネル保持部材９Ｄ内部に入った水がパネル材６の下面を伝って矢印Ｗ２で示すように水上側に逆流した場合には、この水が第１立上片９１に阻まれて矢印Ｗ３で示すように凹溝部９０内に落下するため、凹溝部９０内の底面部９２に形成された排水孔９８から矢印Ｗ８で示すように樋７に排水されるようになっている。
【００２６】
一方、垂木５のパネル支持部５Ｂとパネル保持部材８内部などを通った水が矢印Ｗ９に示すように、パネル保持部材９Ｄ内に浸入した場合にも、この水が傾斜底面部９４上に落下して排水孔９９から排水されるようになっている。しかし、一部の水がパネル支持部５Ｂの下面を伝って矢印Ｗ６に示すように水上側に逆流した場合には、この水が凹溝部９０の第２立上片９３に阻まれて矢印Ｗ７’で示すように、傾斜底面部９４と第２立上片９３との間の底面部９２に落下し、排水孔９９から排水されるようになっている。さらに、第２立上片９３を超えて、パネル支持部５Ｂの下面を伝って水上側に逆流した場合には、この水が第１立上片９１の切欠部９７の位置で阻まれて矢印Ｗ７で示すように、凹溝部９０内の底面部９２に落下し、排水孔９８から矢印Ｗ８で示すように樋７に排水されるようになっている。
【００２７】
以上のように本実施形態の止水構造では、凹溝部９０の第２立上片９３によって本発明の第１止水部が構成され、第１立上片９１および切欠部９７によって本発明の第２止水部が構成されるとともに、凹溝部９０によって本発明の水受け部が構成されている。そして、パネル材６の下面を逆流しようとする水Ｗ２は、第２止水部である第１立上片９１で阻まれて水受け部である凹溝部９０内から排水孔９８を介して排水され、垂木５のパネル支持部５Ｂの下面を逆流しようとする水Ｗ６は、第１止水部である第２立上片９３で阻まれて排水孔９９を介して排水されるか、あるいは第２止水部である第１立上片９１の切欠部９７で阻まれて凹溝部９０内から排水孔９８を介して排水されようになっており、これにより本実施形態の止水構造が構成されている。
【００２８】
このような本実施形態によれば、以下の効果が得られる。
（４）すなわち、第１立上片９１によってパネル材６の下面を逆流しようとする水Ｗ２が阻止されるとともに、第２立上片９３および第１立上片９１の切欠部９７によってパネル支持部５Ｂの下面を逆流しようとする水Ｗ６が阻止され、これらの逆流を阻止された水が排水孔９８，９９から排水されるので、止水性能を向上させることができる。そして、第１立上片９１よりも水上側への浸入が阻止できることから、メタルタッチ部分のシール材を簡易にしたり、省略したりできるので、シール施工の手間を削減することができる。
【００２９】
なお、本発明は、前記実施形態に限定されるものではなく、本発明の目的が達成できる他の構成等を含み、以下に示すような変形等も本発明に含まれる。
例えば、前記実施形態においては、支柱２や梁３等によって屋根面材４が支持される屋根１，１Ａについて説明したが、本発明の屋根としては、支柱や梁を有したものに限らず、外壁面等から片持ち状に突出した庇等に用いられる屋根であってもよい。
また、前記実施形態では、屋根面材４の構造として、垂木５とパネル材６とを有して構成されていたが、これに限らず、垂木５を有さずに屋根面材が板状部材のみで構成されていてもよい。そして、本発明の第１止水部および第２止水部は、それぞれ屋根面材の下面に当接していればよく、その当接箇所としては、パネル材６下面や垂木５のパネル支持部５Ｂの下面などに限られない。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３１】
【図１】本発明の第１実施形態に係る屋根を示す斜視図である。
【図２】前記屋根の要部を拡大して示す縦断面図である。
【図３】前記屋根の要部を拡大して示す縦断面図である。
【図４】前記屋根における屋根面材を示す縦断面図である。
【図５】前記屋根における止水構造を説明する縦断面図である。
【図６】本発明の第２実施形態に係る屋根を示す縦断面図である。
【図７】前記屋根における樋部分を示す斜視図である。
【図８】前記屋根における止水構造を説明する縦断面図である。
【符号の説明】
【００３２】
１，１Ａ…屋根、２…支柱、３…梁、４…屋根面材、５…垂木、５Ａ…垂木本体、５Ｂ…パネル支持部、５Ｃ…パネル押え材、６…パネル材、７…樋、７Ｄ，９Ｃ…背面部（樋側壁）、７０，９０…凹溝部（水受け部）、７１…第１立上片（第２止水部）、７４，９８…排水孔、８６…第１止水材（第１止水部）、８８，９９…排水孔、９１…第１立上片（第２止水部）、９３…第２立上片（第１止水部）、９７…切欠部（第２止水部）。
【図１】
2008240241.tif 000003
【図２】
2008240241.tif 000004
【図３】
2008240241.tif 000005
【図４】
2008240241.tif 000006
【図５】
2008240241.tif 000007
【図６】
2008240241.tif 000008
【図７】
2008240241.tif 000009
【図８】
2008240241.tif 000010